(57)【要約】【課題】本発明は、光ファイバ同士の絡みを解く作業の手間を軽減することができる生体光計測装置を得ることを目的とするものである。【解決手段】光ファイバ群４には、複数枚の絡み防止板７が装着されている。絡み防止板７には、複数の挿通孔が互いに間隔をおいて設けられている。絡み防止板７は、挿通孔に光ファイバ５を挿通することにより光ファイバ群４に装着される。挿通孔は、光ファイバ５と同数だけ設けられており、各挿通孔に光ファイバ５が１本ずつ挿通されている。また、挿通孔は、ホルダ部２内のプローブの配置と同様に、格子状に配列されている。【選択図】図１
2005349027.tif 000002
【特許請求の範囲】
【請求項１】
計測装置本体と、
被検体に装着されるホルダ部と、
上記計測装置本体と上記ホルダ部との間に接続されている複数本の光ファイバを含む光ファイバ群と、
互いに間隔をおいて設けられた複数の挿通孔を有し、上記挿通孔に上記光ファイバを挿通することにより上記光ファイバ群に装着される絡み防止部材と
を備えていることを特徴とする生体光計測装置。
【請求項２】
上記絡み防止部材には、上記挿通孔の径方向外側から上記挿通孔内に上記光ファイバを挿通するための複数のスリットが設けられていることを特徴とする請求項１記載の生体光計測装置。
【請求項３】
上記挿通孔の軸方向中間部で径が小さく、かつ上記挿通孔の軸方向両端部で径が大きくなるように、上記挿通孔の内周面にはテーパが設けられていることを特徴とする請求項１又は請求項２に記載の生体光計測装置。
【発明の詳細な説明】
【技術分野】
【０００１】
この発明は、光を用いて生体内部情報を計測する生体光計測装置に関するものである。
【背景技術】
【０００２】
従来の生体光計測装置においては、被検体の頭部に装着されるホルダに複数のプローブが格子状に配置されている。各プローブには、検出光の照射用又は受光用の光ファイバの先端部が接続される（例えば、特許文献１参照）。
【０００３】
【特許文献１】特開２００１−２８６４４９号公報
【発明の開示】
【発明が解決しようとする課題】
【０００４】
上記のような従来の生体光計測装置では、例えば信号試験を行う際や使用するホルダを取り替える際など、ホルダに対して全ての光ファイバを着脱する必要が生じることがある。このとき、全ての光ファイバは、ホルダ内のプローブに１：１で対応しているため、対応するプローブに正確に接続される必要がある。これに対し、１つのホルダには複数の光ファイバが接続されるため、光ファイバ同士が絡み合ってしまい、光ファイバが他の光ファイバに引っ張られ、光ファイバの先端部が生体から離れてしまったり、光ファイバが損傷したりする恐れがあった。そこで、従来は光ファイバを１本１本解きながらホルダに接続していたが、計測チャンネルの増加に伴い、光ファイバを解く作業にはかなりの手間がかかってしまう。
【０００５】
この発明は、上記のような課題を解決するためになされたものであり、光ファイバ同士の絡みを解く作業の手間を軽減することができる生体光計測装置を得ることを目的とする。
【課題を解決するための手段】
【０００６】
この発明に係る生体光計測装置は、計測装置本体と、被検体に装着されるホルダ部と、計測装置本体とホルダ部との間に接続されている複数本の光ファイバを含む光ファイバ群と、互いに間隔をおいて設けられた複数の挿通孔を有し、挿通孔に光ファイバを挿通することにより光ファイバ群に装着される絡み防止部材とを備えている。
【発明の効果】
【０００７】
この発明の生体光計測装置は、絡み防止部材の挿通孔に光ファイバを挿通することにより、絡み防止部材の装着部で光ファイバ同士の間隔を保ち、光ファイバ同士を絡み難くすることができ、また必要に応じて絡み防止部材を光ファイバに沿って移動させることにより光ファイバ同士の絡みを容易に解くことができる。
【発明を実施するための最良の形態】
【０００８】
以下、この発明を実施するための最良の形態について、図面を参照して説明する。
図１はこの発明の実施の形態の一例による生体光計測装置を示す側面図である。図において、被検体１の頭部には、ホルダ部２が装着されている。ホルダ部２には、格子状に配列された複数（例えば１６個）のプローブ（図示せず）が設けられている。
【０００９】
計測装置本体３とホルダ部２との間には、光ファイバ群４が接続されている。光ファイバ群４は、複数（例えば１６本）の光ファイバ５を含んでいる。これらの光ファイバ５の一部は、計測装置本体３からプローブに検出光を導くための光ファイバであり、残りの光ファイバ５は、被検体１で反射（散乱）された検出光を計測装置本体３に導くための光ファイバである。光ファイバ群４の中間部は、計測装置本体３から延びる支持腕６の先端部に支持されている。
【００１０】
光ファイバ群４には、絡み防止部材としての複数枚（ここでは２枚）の絡み防止板７が装着されている。絡み防止板７は、例えばプラスチックにより構成されている。
【００１１】
図２は図１の絡み防止板７を示す正面図である。絡み防止板７には、複数の挿通孔７ａが互いに間隔をおいて設けられている。絡み防止板７は、挿通孔７ａに光ファイバ５を挿通することにより光ファイバ群４に装着される。挿通孔７ａは、光ファイバ５と同数だけ設けられており、各挿通孔７ａに光ファイバ５が１本ずつ挿通されている。また、この例では、挿通孔７ａは、ホルダ部２内のプローブの配置と同様に、格子状に配列されている。
【００１２】
絡み防止板７には、その縁部から挿通孔７ａに連通した複数のスリット７ｂが設けられている。また、絡み防止板７の中央に位置する４つの挿通孔７ａと隣接する挿通孔７ａとの間には、複数のスリット７ｃが設けられている。スリット７ｂ，７ｃの幅寸法は、光ファイバ５の径寸法よりも大きく、挿通孔７ａの径寸法よりも小さくなっている。これにより、スリット７ｂを通して、挿通孔７ａの径方向外側から挿通孔７ａ内に光ファイバ５を挿通可能になっている。
【００１３】
スリット７ｂ，７ｃ内には、例えばゴム又はスポンジ等の柔軟性のある塞ぎ部材８が設けられている。塞ぎ部材８は、スリット７ｂ，７ｃの幅方向両側の内壁面のいずれか一方のみに接着されている。スリット７ｂ，７ｃに光ファイバ５を通過させる際には、塞ぎ部材８が縮小又は変形され、光ファイバ５の通過を許容する。また、光ファイバ５が挿通孔７ａ内に位置するときには、スリット７ｂ，７ｃが塞ぎ部材８により閉じられる。これにより、挿通孔７ａからの光ファイバ５の抜けが防止される。
【００１４】
図３は図２の挿通孔７ａの断面図である。挿通孔７ａの内周面には、挿通孔７ａの軸方向中間部で径が小さく、かつ挿通孔７ａの軸方向両端部で径が大きくなるように、テーパが設けられている。挿通孔７ａの内周面の最小径部、即ち挿通孔７ａの軸方向中間部には、光ファイバ５との接触による光ファイバ５の損傷を防止するため、丸みが付けられている。
【００１５】
このような生体光計測装置では、光ファイバ群４に装着された絡み防止板７の挿通孔７ａに光ファイバ５が挿通されているので、絡み防止板７の装着部で光ファイバ５同士の間隔を保ち、光ファイバ５同士を絡み合い難くすることができる。また、光ファイバ５同士が絡み合ってしまった場合、絡み防止板７を光ファイバ５に沿って移動させることにより、絡みを容易に解くことができる。
【００１６】
図４は図１の光ファイバ５が絡み合った状態を示す側面図、図５は図４の絡み防止板７により光ファイバ５の絡みを解いた状態を示す側面図である。図４及び図５に示すように、２枚の絡み防止板７を移動させることにより、絡み防止板７の装着位置の両側について光ファイバ５の絡みを容易に解くことができる。
【００１７】
また、例えば絡み防止板７よりも計測装置本体３側で光ファイバ５が束ねられている場合など、光ファイバ５の絡みがホルダ部２の近傍のみで発生する可能性が高い場合には、絡み防止板７は１枚だけ装着すればよい。この場合、絡み防止板７をその装着位置からホルダ部２側へのみ移動させれば、光ファイバ５の先端部の絡みは容易に解くことができる。
【００１８】
さらに、スリット７ｂ，７ｃを通して、挿通孔７ａの径方向から挿通孔７ａ内に光ファイバ５を挿通可能になっているので、光ファイバ群４が長い場合であっても、光ファイバ群４の長さ方向の任意の位置に絡み防止板７を容易に装着することができる。
【００１９】
さらにまた、挿通孔７ａの内周面にはテーパが設けられているので、光ファイバ５に対して絡み防止板７を移動させる際に、絡み防止板７により光ファイバ５が損傷するのを防止することができる。
【００２０】
なお、絡み防止板７の形状は図２の形状（正方形又は長方形）に限定されるものではなく、例えば円形としてもよい。
また、絡み防止部材の形状は板に限定されるものではなく、例えばブロック状に構成することも可能である。
さらに、絡み防止板７は、必要に応じて３枚以上用いてもよい。
さらにまた、例えば光ファイバ５の長さが長い場合などには、予め光ファイバ５の長さ方向に互いに間隔をおいて複数の絡み防止板７を装着してもよい。
また、絡み防止板７との接触による光ファイバ５の損傷を防止するため、強化された光ファイバを用いることは有効である。光ファイバを強化する方法としては、例えば光ファイバを構成する複数の素線同士を互いに接着する方法がある。
さらに、光ファイバ５に対する絡み防止板７の滑りを良くするため、絡み防止板７を低摩擦材により構成したり、挿通孔７ａの内周面などの光ファイバ５との接触部に低摩擦材をコーティングしたりしてもよい。
【図面の簡単な説明】
【００２１】
【図１】この発明の実施の形態の一例による生体光計測装置を示す側面図である。
【図２】図１の絡み防止板を示す正面図である。
【図３】図２の挿通孔の断面図である。
【図４】図１の光ファイバが絡み合った状態を示す側面図である。
【図５】図４の絡み防止板により光ファイバの絡みを解いた状態を示す側面図である。
【符号の説明】
【００２２】
１  被検体、２  ホルダ部、３  計測装置本体、４  光ファイバ群、５  光ファイバ、７  絡み防止板（絡み防止部材）、７ａ  挿通孔、７ｂ  スリット。
【図１】
2005349027.tif 000003
【図２】
2005349027.tif 000004
【図３】
2005349027.tif 000005
【図４】
2005349027.tif 000006
【図５】
2005349027.tif 000007